(57)【要約】【課題】画像素材中の画像トラックと音声トラックを見やすく表示して、複数の画像素材や音声素材を用いた動画像編集作業を容易になるように支援する。【解決手段】画像データと音声データとを含むビデオクリップ、音声データを含まない動画像データおよび静止画像データなどの画像素材と音声クリップで構成される音声素材を用いて編集動画像データを生成するための動画像編集装置であって、１つのビデオクリップに含まれる画像データの時間軸方向の位置を示す画像トラックと音声データの時間軸方向の位置を示す音声トラックとが隣接位置となるように、各画像素材および音声素材に含まれる画像データおよび音声データ毎の時間軸方向の位置を表示するため表示トラックを設定する表示トラック設定手段を備える。【選択図】      図２
2004266721.tif 000002
【特許請求の範囲】
【請求項１】
画像データと音声データとを含むビデオクリップ、音声データを含まない動画像データおよび静止画像データなどの画像素材と音声クリップで構成される音声素材を用いて編集動画像データを生成するための動画像編集装置であって、
１つのビデオクリップに含まれる画像データの時間軸方向の位置を示す画像トラックと音声データの時間軸方向の位置を示す音声トラックとが隣接位置となるように、各画像素材および音声素材に含まれる画像データおよび音声データ毎の時間軸方向の位置を表示するため表示トラックを設定する表示トラック設定手段を備える動画像編集装置。
【請求項２】
１対の画像トラックおよび音声トラックを編集動画像表示トラックに設定し、前記編集動画像表示トラックの画像トラックには、各画像素材の画像データの時間軸方向の位置を示す画像タイムラインと、各画像タイムラインが重合する部分に設定される視覚エフェクト情報を備えた画像トランジションラインとの集合で構成され、前記画像タイムラインは時間軸方向に沿った１本の帯形状で表現される、請求項１に記載の動画像編集装置。
【請求項３】
前記編集動画像表示トラックの音声トラックには、各画像素材および音声素材の音声データの時間軸方向の位置を示す音声タイムラインと、各音声タイムラインが重合する部分に設定される音声エフェクト情報を備えた音声トランジションラインとの集合で構成され、前記音声タイムラインは時間軸方向に沿った１本の帯形状で表現される、請求項２に記載の動画像編集装置。
【請求項４】
画像データと音声データとを含むビデオクリップ、音声データを含まない動画像データおよび静止画像データなどの画像素材と音声クリップで構成される音声素材を用いて編集動画像データを生成するための動画像編集装置における動画像編集支援方法であって、
１つのビデオクリップに含まれる画像データの時間軸方向の位置を示す画像トラックと音声データの時間軸方向の位置を示す音声トラックとが隣接位置となるように、各画像素材および音声素材に含まれる画像データおよび音声データ毎の時間軸方向の位置を表示するため表示トラックを設定する動画像編集支援方法。
【請求項５】
画像データと音声データとを含むビデオクリップ、音声データを含まない動画像データおよび静止画像データなどの画像素材と音声クリップで構成される音声素材を用いて編集動画像データを生成するための動画像編集装置における動画像編集支援方法のプログラムであって、
１つのビデオクリップに含まれる画像データの時間軸方向の位置を示す画像トラックと音声データの時間軸方向の位置を示す音声トラックとが隣接位置となるように、各画像素材および音声素材に含まれる画像データおよび音声データ毎の時間軸方向の位置を表示するため表示トラックを設定する動画像編集支援方法をコンピュータに実行させるためのプログラム。
【発明の詳細な説明】
【０００１】
【発明の属する技術分野】
本発明は、ディジタルビデオ（ＤＶ）映像などの非圧縮動画像、各種圧縮形式による動画像を編集するための動画像編集装置および動画像編集支援方法に関する。
【０００２】
【従来の技術】
ビデオ機器の普及に伴って、放送局や番組制作会社のみならず、一般家庭においても動画像編集を行う場合が多くなってきている。特に、ディジタルビデオカメラにより撮影されたＤＶ映像はそのままパーソナルコンピュータ（ＰＣ）に取り込んで編集することが可能である。また、アナログビデオやアナログＴＶ映像についても、ビデオキャプチャ用のハードウェアおよびソフトウェアをＰＣ上に搭載することにより、デジタル的に編集処理することが可能となる。
【０００３】
また、ＭＰＥＧやＱｕｉｃｋ  Ｔｉｍｅ（登録商標）などの各種圧縮形式による動画像データがインターネット上で公開されており、著作権を侵害しない範囲でこれら動画像データを加工して楽しむことも行われている。
このような動画像データは、時系列に配列される複数のフレーム単位の画像データとこの画像データに対応する音声データとを含むものであり、画像データと音声データとで構成されるビデオクリップや音声データを含まない動画像データや静止画像データを含む画像素材、音声データでなるオーディオクリップなどの音声素材などを適宜結合することによって編集される。
【０００４】
ＰＣ上で動画像を編集するためのツールは種々提案されており、画像素材の再生画面を表示するための再生ウィンドウ、編集後の画像を再生して確認するためのプレビューウィンドウ、再生ウィンドウやプレビューウィンドウに表示される画像データの制御を行うための制御コマンド入力用ボタン、編集元となる画像素材や音声素材の時間軸方向の位置を示すための表示トラックをクリップ毎に設定するとともに、編集後の動画像データの時間軸方向の位置情報を表示するトラック表示部などを備えたものが一般的である（たとえば、特許文献１）。
【０００５】
【特許文献１】
特開平１０−２００８５５号公報
【０００６】
【発明が解決しようとする課題】
特許文献１にもあるように、従来の動画像編集用ツールでは、複数のビデオクリップやオーディオクリップを結合して動画像データを編集する際に、各ビデオクリップに対応する画像トラックと音声トラックとを分離し、画像トラック同士および音声トラック同士を集約して配置し表示することが行われる。
また、異なるビデオクリップに属する画像トラックは、上下にずらした位置に表示しており、結合するビデオクリップ数が増加すると表示トラック数が多くなり、トラック表示部の表示スペースが大きくなる。
【０００７】
さらに、２つの画像トラックの切り替え部分にワイプやディゾルブ、その他の視覚効果を与える場合には、２つの画像トラックを時間軸方向にオーバーラップするトランジション部を設け、視覚エフェクトを設定するためのトランジション表示用のトラックをさらに設けることが考えられる。この場合には、さらにトラック表示部の表示スペースが大きくなるという問題がある。
また、ビデオクリップ中の音声トラックやオーディオクリップについても、２つの音声トラックの切り替え部分にフェードアウト、フェードイン、その他の音声エフェクトを与えるような場合には、２つの音声トラックを時間軸方向にオーバーラップするトランジション部が設けられる。特許文献１にもあるように、音声トラックのタイムラインには、その帯形状の表示中に音量などの情報が表示可能となっている場合が多く、トランジション部を備える複数の音声トラックを１本のタイムラインに統合することが困難である。
【０００８】
前述したように、各ビデオクリップ中の画像トラックと音声トラックは分離されて画像トラック同士、音声トラック同士が集約されて表示するように構成されるため、結合するビデオクリップ数が増えてくると、１つのビデオクリップに属する画像トラックと音声トラックの距離が離れていき、画面をスクロールさせなければ見ることができなくなるおそれもある。この場合、画像と音声との同期を取ったり、画像トラックと音声トラックの時間軸方向の細かい編集を行うための作業が煩雑になるという問題がある。編集ソフトによっては、画像トラックを上方向に積み上げるように表示し、音声トラックを逆に下方向にずらせて表示するように構成されたものも存在する。この場合には、１つのビデオクリップに属する画像トラックと音声トラックとの上下方向の距離がさらに遠くなっていき、編集作業が煩雑となる。
【０００９】
本発明では、画像素材中の画像トラックと音声トラックを見やすく表示して、複数の画像素材や音声素材を用いた動画像編集作業を容易になるように支援することを目的とする。
【００１０】
【課題を解決するための手段】
本発明の請求項１に係る動画像編集装置は、画像データと音声データとを含むビデオクリップ、音声データを含まない動画像データおよび静止画像データなどの画像素材と音声クリップで構成される音声素材を用いて編集動画像データを生成するための動画像編集装置であって、１つのビデオクリップに含まれる画像データの時間軸方向の位置を示す画像トラックと音声データの時間軸方向の位置を示す音声トラックとが隣接位置となるように、各画像素材および音声素材に含まれる画像データおよび音声データ毎の時間軸方向の位置を表示するため表示トラックを設定する表示トラック設定手段を備える。
【００１１】
この場合、１つのビデオクリップに含まれる画像データと音声データとが隣接するトラックに表示されるため、数多くの画像素材や音声素材を用いて編集を行う際に、画像データと音声データの対応を見失うことがなく、編集作業も容易になる。
本発明の請求項２に係る動画像編集装置は請求項１に記載の動画像編集装置であって、１対の画像トラックおよび音声トラックを編集動画像表示トラックに設定し、編集動画像表示トラックの画像トラックには、各画像素材の画像データの時間軸方向の位置を示す画像タイムラインと、各画像タイムラインが重合する部分に設定される視覚エフェクト情報を備えた画像トランジションラインとの集合で構成され、画像タイムラインは時間軸方向に沿った１本の帯形状で表現される。
【００１２】
この場合、編集動画像表示トラックが画面に占める面積を小さく構成でき、次に編集に用いる画像素材や音声素材が編集動画像表示トラックに近接して表示できるため、編集作業を容易に行うことができる。
本発明の請求項３に係る動画像編集装置は請求項２に記載の動画像編集装置であって、編集動画像表示トラックの音声トラックには、各画像素材および音声素材の音声データの時間軸方向の位置を示す音声タイムラインと、各音声タイムラインが重合する部分に設定される音声エフェクト情報を備えた音声トランジションラインとの集合で構成され、音声タイムラインは時間軸方向に沿った１本の帯形状で表現される。
【００１３】
この場合、編集動画像表示トラックが画面に占める面積をさらに小さく構成でき、次に編集に用いる画像素材や音声素材が編集動画像表示トラックに近接して表示できるため、編集作業を容易に行うことができる。
本発明の請求項４に記載の動画像編集支援方法は、画像データと音声データとを含むビデオクリップ、音声データを含まない動画像データおよび静止画像データなどの画像素材と音声クリップで構成される音声素材を用いて編集動画像データを生成するための動画像編集装置における動画像編集支援方法であって、１つのビデオクリップに含まれる画像データの時間軸方向の位置を示す画像トラックと音声データの時間軸方向の位置を示す音声トラックとが隣接位置となるように、各画像素材および音声素材に含まれる画像データおよび音声データ毎の時間軸方向の位置を表示するため表示トラックを設定する動画像編集支援方法である。
【００１４】
この場合、１つのビデオクリップに含まれる画像データと音声データとが隣接するトラックに表示されるため、数多くの画像素材や音声素材を用いて編集を行う際に、画像データと音声データの対応を見失うことがなく、編集作業も容易になる。
本発明の請求項５に係るプログラムは、画像データと音声データとを含むビデオクリップ、音声データを含まない動画像データおよび静止画像データなどの画像素材と音声クリップで構成される音声素材を用いて編集動画像データを生成するための動画像編集装置における動画像編集支援方法のプログラムであって、１つのビデオクリップに含まれる画像データの時間軸方向の位置を示す画像トラックと音声データの時間軸方向の位置を示す音声トラックとが隣接位置となるように、各画像素材および音声素材に含まれる画像データおよび音声データ毎の時間軸方向の位置を表示するため表示トラックを設定する動画像編集支援方法をコンピュータに実行させるためのプログラムである。
【００１５】
この場合、パーソナルコンピュータやワークステーションなどの一般的なコンピュータを動画像編集装置として機能させることが可能となり、その際における動画像データの編集作業を容易に行うことが可能となる。
【００１６】
【発明の実施の形態】
〈概要構成〉
本発明の１実施形態が採用される動画像編集装置の概略構成を図１に基づいて説明する。この動画像編集装置は、一般的なパーソナルコンピュータ（ＰＣ）に動画像編集用ソフトウェアをインストールすることで動画像編集装置として機能させるように構成できる。
この動画像編集装置は、各部を制御するためのＣＰＵ１０、ＢＩＯＳなどの基本的な制御プログラムや各種パラメータが格納されＲＯＭ１１、各種変数の値を一時的に格納するＲＡＭ１２、各種情報を表示するためにＣＲＴや液晶ディスプレイなどで構成されるモニタ１４、モニタ１４に表示するための画像データを格納するフレームバッファメモリ（ＶＲＡＭ）１３、キーボードやマウス、その他のポインティングデバイスなどで構成される入力部１５、ビデオテープレコーダ（ＶＴＲ）１９に接続され画像データを入出力するビデオインターフェイス１６、ＶＴＲ１９に接続される音声データを入出力するオーディオインターフェイス１７、画像データを圧縮して圧縮画像データを生成し、圧縮画像データを伸張して再生する画像圧縮伸張部１８、ハードディスクや光磁気ディスク、その他の記憶媒体に対してデータの入出力を行うための記憶手段２０などを備えている。
【００１７】
〈編集動作〉
ハードディスクなどの記憶手段２０に格納されている動画像編集ソフトをＲＡＭ１２上で展開し編集作業を開始した場合の画面構成例を図２に示す。
図２に示すように、動画像編集画面１００は、再生画像を表示するための第１再生ウィンドウ１１０、第２再生ウィンドウ１２０、画像素材の各トラックを表示するためのＶＡトラック表示部２００、タイトルモーションを設定するためのタイトルトラック表示部３００、音声データのみの素材を配置可能なオーディオトラック表示部３１０などを備えている。
【００１８】
第１再生ウィンドウ１１０は、編集対象となる画像素材や編集後の動画像データの再生画像を表示するものであり、再生画像の制御を行うための停止ボタン１１１、巻き戻しボタン１１２、コマ戻しボタン１１３、再生ボタン１１４、コマ送りボタン１１５、早送りボタン１１６、ポーズボタン１１７などが再生ウィンドウ１１０の下方に配置されている。
第２再生ウィンドウ１２０は、編集対象となる画像素材や編集済みの動画像データの再生画像を表示するものであり、再生画像の制御を行うための停止ボタン１２１、巻き戻しボタン１２２、コマ戻しボタン１２３、再生ボタン１２４、コマ送りボタン１２５、早送りボタン１２６、ポーズボタン１２７などが第２再生ウィンドウ１２０の下方に配置されている。
【００１９】
ＶＡトラック表示２００の上部には、時間軸目盛りを示すタイムスケール３２０が設けられており、下方には時間軸方向のスクロールを行うためのスクロールバー３３０が設けられている。
ＶＡトラック表示部２００は、画像データと音声データとを備えるビデオクリップや音声データを含まない動画像データや静止画像データの編集を行うために、画像素材毎に画像トラックと音声トラックとを１対にして表示するように構成されている。図２では、第１ＶＡトラック２１０〜第３ＶＡトラック２３０の３つのＶＡトラックを表示するように構成されており、編集後の編集動画像データの時間軸方向の情報を第１ＶＡトラック２１０に表示するように構成している。
【００２０】
第１ＶＡトラック２１０は画像トラック２１１と音声トラック２１２とを備えており、それぞれビデオクリップの画像データの時間軸方向の位置情報を示す画像タイムラインおよび音声データの時間軸方向の位置情報を示す音声タイムラインを表示するように構成されている。図においては、第１ビデオクリップに対応する第１画像タイムライン２１３と第１音声タイムライン２１４がそれぞれ画像トラック２１１と音声トラック２１２に配置されており、その後に第２ビデオクリップに対応する第２画像タイムライン２１５と第２音声タイムライン２１６とがそれぞれ画像トラック２１１と音声トラック２１２に配置されている。
【００２１】
第１画像タイムライン２１３と第２画像タイムライン２１５とは、画像トランジション部２１７で重ね合わせられており、所定の視覚エフェクトが設定できるように構成されている。この画像トランジション部２１７における視覚エフェクトは、予め視覚エフェクトテーブルを用意しておき、所定の操作により視覚エフェクト選択メニューを表示して選択できるように構成することができる。
また、第１音声タイムライン２１４と第２音声タイムライン２１６とは、音声トランジション部２１８で重ね合わせられており、所定の音声エフェクトが設定できるように構成されている。この音声トランジション部２１８における音声エフェクトは、予め音声エフェクトテーブルを用意しておき、所定の操作により音声エフェクト選択メニューを表示して選択できるように構成することができる。
【００２２】
このようにして、画像素材である第１ビデオクリップと第２ビデオクリップを元にして編集して得られた編集動画像データの画像タイムラインおよび音声タイムラインは、それぞれ第１ＶＡトラック２１０の画像トラック２１１および音声トラック２１２に表示される。
次に編集元として利用する画像素材を呼び出した場合には、第２ＶＡトラック２２０に表示される。この第２ＶＡトラック２２０は同様にして画像トラック２２１と音声トラック２２２とを備える構成であり、１つのビデオクリップに含まれる画像データの時間軸方向の位置情報および音声データの時間軸方向の位置情報をそれぞれ画像トラック２２１および音声トラック２２２に表示する構成になっている。図では、第３ビデオクリップに対応する第３画像タイムライン２２３および第３音声タイムライン２２４がそれぞれ画像トラック２２１および音声トラック２２２に表示されている。
【００２３】
さらに次のビデオクリップを読み込んだ場合には、第３ＶＡトラック２３０の画像トラック２３１および音声トラック２３２にそれぞれ画像タイムラインおよび音声タイムラインが表示されることとなる。
また、第１ＶＡトラック２１０および第２ＶＡトラック２２０に対応する動画像データを用いて行った編集が完了した場合、第２ＶＡトラック２２０の画像トラック２２１に表示されている第３画像タイムライン２２３および画像トラック２２２に表示されている第３音声タイムラインが第１ＶＡトラック２１０上に移行し、新たに画像トランジションや音声トランジションなどが設定されて表示される。第２ＶＡトラック２２０に第３ビデオクリップに対応する第３画像タイムライン２２３および第３音声タイムライン２２４を残したままで編集を続行することも可能であり、また、これらを削除して新たなビデオクリップを呼び出して対応するタイムラインを第２ＶＡトラック２２０上に表示するように構成することも可能である。
【００２４】
編集された動画像データを確認する場合には、第１再生ウィンドウ１１０および第２再生ウィンドウ１２０のうちいずれかを選択して、その下方にある再生ボタン１１４または１２４をクリックすることで、第１ＶＡトラック２１０上に表示されている編集動画像データを第１再生ウィンドウ１１０または第２再生ウィンドウ１２０内で再生表示させることができる。このとき、ＶＡトラック表示部２００内に設定されているタイムラインカーソル３４０が時間経過に対応して移動し、現再生ウィンドウ上で再生表示している編集動画像データの時間軸方向の位置が認識できるように構成されている。
【００２５】
このように、１つのビデオクリップに属する画像タイムラインと音声タイムラインを対にして隣接したトラックに表示することにより、画面をスクロールさせるなどの煩雑な作業をすることなく容易に編集作業を行うことが可能となる。また、画像データおよび音声データをそれぞれトランジション部を含めた１本の帯形状に表示することが可能であることから、各タイムラインの表示スペースが小さくなり、画像素材や音声素材のタイムラインが離れて見づらいという問題を解消することができる。特に、数多くのビデオクリップや音声クリップなどの素材を合成して編集動画像データを生成する際には、画像トラックおよび音声トラックの上下方向の表示幅をコンパクトにまとめることが可能となり、編集作業を簡素化することができる。
【００２６】
〈他の実施形態〉
ＶＡトラック表示部２００内における第１ＶＡトラック２１０〜第２ＶＡトラック２３０の表示順は上下逆であってもよく、必要に応じて表示順を変更可能とすることもできる。
第１再生ウィンドウ１１０および第２再生ウィンドウ１２０はいずれか一方だけでもよく、３つ以上の再生ウィンドウを設けることも可能である。
【００２７】
【発明の効果】
本発明によれば、１つのビデオクリップに含まれる画像データと音声データとが隣接するトラックに表示されるため、数多くの画像素材や音声素材を用いて編集を行う際に、画像データと音声データの対応を見失うことがなく、編集作業も容易になる。
【図面の簡単な説明】
【図１】本発明の第１実施形態が採用される動画像編集装置の制御ブロック図。
【図２】本発明の画面構成を示す説明図。
【図１】
2004266721.tif 000003
【図２】
2004266721.tif 000004